(57)【要約】【課題】  各種記録媒体に記録されている画像データをテンプレート画像へ合成する際の画像編集作業を効率的に行なうことができる画像編集装置及び写真処理装置を提供する。【解決手段】  予め格納された複数の画像合成領域を有するテンプレート画像に、外部の記録媒体から取り込んだ撮影に関する画像データを合成する画像編集装置において、複数種類のメディアが挿入、取り出し可能に構成され、各メディアに格納される画像データの読込を行う画像データ取込部１１と、フィルムの画像データを取り込むフィルムスキャナ１２と、画像取込対象に設定された各種メディアから取り込まれた画像データをモニタ１３に表示する画像表示部１５２と、モニタ１３に表示された各メディア毎の画像データからテンプレート画像の各画像合成領域に対する合成対象画像をそれぞれ選択する操作部１４と、テンプレート画像の各画像合成領域に選択された合成対象画像を重ね合わせてテンプレート画像と合成対象画像との合成を行う画像合成部１５５とを備える。  【選択図】      図２
2006014020.tif 000002
【特許請求の範囲】
【請求項１】
予め格納された複数の画像合成領域を有するテンプレート画像に、外部の記録媒体から取り込んだ撮影に関する画像データの画像を合成する画像編集装置において、異なる種類の記録媒体からそれぞれ複数の画像データの取り込みを行う画像取込手段と、取り込んだ画像データの画像をそれぞれモニタに表示する表示手段と、前記テンプレート画像の各画像合成領域に対して、各記録媒体毎に、前記モニタに表示された画像から合成対象画像をそれぞれ選択する合成対象画像選択手段と、前記合成対象画像選択手段によって選択された合成対象画像を前記テンプレート画像の各画像合成領域に重ね合わせて画像の合成を行う画像合成手段とを備えたことを特徴とする画像編集装置。
【請求項２】
複数種類のテンプレート画像のテンプレート画像データを記憶するテンプレート記憶手段と、複数種類のテンプレート画像から１つのテンプレート画像を選択するテンプレート選択手段を備えたことを特徴とする請求項１記載の画像編集装置。
【請求項３】
前記画像合成領域のそれぞれを前記記録媒体の種類と対応付ける対応設定手段を備え、前記合成対象画像選択手段は、テンプレート画像の各画像合成領域に対して前記対応設定手段によって対応付けられた記録媒体から取り込まれた画像中から合成対象画像を選択するものであることを特徴とする請求項１又は２に記載の画像編集装置。
【請求項４】
前記表示手段は、前記画像取込手段によって取り込まれた画像データの画像を記録媒体の種類毎に前記モニタに一覧表示するものであり、前記合成対象画像選択手段は、前記一覧表示画面内の画像から合成対象画像を選択するものであることを特徴とする請求項１〜３のいずれかに記載の画像編集装置。
【請求項５】
前記テンプレート画像の画像合成領域の１つが他の画像合成領域の残部であることを特徴とする請求項１〜４のいずれかに記載の画像編集装置。
【請求項６】
請求項１〜５のいずれかに記載の画像編集装置と、前記画像編集装置によって合成されたテンプレート画像と合成対象画像との合成画像データを取り込み、プリント出力するプリント装置とを備えてなる写真処理装置。
【発明の詳細な説明】
【技術分野】
【０００１】
本発明は、予め格納された複数の画像合成領域を有するテンプレート画像に、外部の記録媒体から取り込んだ撮影に関する画像を合成する画像編集装置、及び画像編集装置によって合成された合成画像のプリント出力を行う写真処理装置に関する。
【背景技術】
【０００２】
年賀状や暑中見舞い等のハガキ、カレンダー、名刺等に写真等のデジタル画像をプリントする際に、画像のプリント位置、サイズ、輪郭形状が予め設定された表示枠を有する電子的なテンプレートを用いた写真等のデジタル画像の合成処理を行い、合成画像を作成する画像編集装置を備えた写真処理装置が知られている。従来の画像編集装置では、１つの記録媒体から取り込まれた複数の画像の中から所望の画像をテンプレート画像に合成する画像合成処理が行なわれていた。
【発明の開示】
【発明が解決しようとする課題】
【０００３】
ところで、近年、デジタルカメラ及びカメラ機能付きの携帯電話の普及に伴い、各種の記録媒体、例えばフィルムや小型メモリーカードに記録される画像データをテンプレート画像に合成するという要望が高まっている。しかし、各種記録媒体に記憶されている画像データをテンプレート画像に合成する際には、予め各種記録媒体に記録されている画像データを１つの記録媒体に記憶し直す事前作業が必要となり、非効率的であった。
【０００４】
本発明は上記課題に鑑みてなされたもので、各種記録媒体に記録されている画像データをテンプレート画像へ合成する際の画像編集作業を効率的に行なうことができる画像編集装置及び写真処理装置を提供することを目的とする。
【課題を解決するための手段】
【０００５】
請求項１に係る画像編集装置は、予め格納された複数の画像合成領域を有するテンプレート画像に、外部の記録媒体から取り込んだ撮影に関する画像データの画像を合成する画像編集装置において、異なる種類の記録媒体からそれぞれ複数の画像データの取り込みを行う画像取込手段と、取り込んだ画像データの画像をそれぞれモニタに表示する表示手段と、前記テンプレート画像の各画像合成領域に対して、各記録媒体毎に、前記モニタに表示された画像から合成対象画像をそれぞれ選択する合成対象画像選択手段と、前記合成対象画像選択手段によって選択された合成対象画像を前記テンプレート画像の各画像合成領域に重ね合わせて画像の合成を行う画像合成手段とを備えたことを特徴とするものである。
【０００６】
上記構成によれば、画像取込手段によって異なる種類の記録媒体からそれぞれ複数の画像データの取り込みが行なわれ、異なる種類の記録媒体から取り込まれた画像がモニタに表示される。モニタに表示された画像中、テンプレート画像の各画像合成領域に対する合成対象画像が各記録媒体毎に選択される。この合成対象画像の選択は、合成対象画像選択手段のマニュアル操作によって行なわれる。画像合成手段は、テンプレート画像の各画像合成領域に、選択された合成対象画像の重ね合わせを行い、当該テンプレート画像と合成対象画像とを合成する。このため、各種記録媒体に記録されている画像データをテンプレート画像の各画像合成領域に対応させて合成する際の画像編集作業が効率良く行なわれる。
【０００７】
請求項２に係る画像編集装置は、請求項１記載の画像編集装置において、複数種類のテンプレート画像のテンプレート画像データを記憶するテンプレート記憶手段と、複数種類のテンプレート画像から１つのテンプレート画像を選択するテンプレート選択手段とを備えたことを特徴とするものである。
【０００８】
上記構成によれば、テンプレート記憶手段に記憶されている複数種類のテンプレート画像から１つのテンプレート画像が選択可能であるため、注文者の要望に応じた様々なタイプの合成画像が得られる。
【０００９】
請求項３に係る画像編集装置は、請求項１又は２に記載の画像編集装置において、前記画像合成領域のそれぞれを前記記録媒体の種類と対応付ける対応設定手段を備え、前記合成対象画像選択手段は、テンプレート画像の各画像合成領域に対して前記対応設定手段によって対応付けられた記録媒体から取り込まれた画像中から合成対象画像を選択するものであることを特徴とするものである。
【００１０】
上記構成によれば、テンプレート画像の画像合成領域のそれぞれが記録媒体の種類と対応付けられ、各画像合成領域に対して対応付けられた記録媒体から取り込まれた画像中から合成対象画像が選択されるものであるため、テンプレート画像の各画像合成領域に対する合成対象画像の設定作業の効率化が図られる。
【００１１】
請求項４に係る画像編集装置は、請求項１〜３のいずれかに記載の画像編集装置において、前記表示手段は、前記画像取込手段によって取り込まれた画像データの画像を記録媒体の種類毎に前記モニタに一覧表示するものであり、前記合成対象画像選択手段は、前記一覧表示画面内の画像から合成対象画像を選択するものであることを特徴とするものである。
【００１２】
上記構成によれば、画像取込手段によって取り込まれた画像データの画像が記録媒体の種類毎にモニタに一覧表示され、一覧表示画面内の画像から合成対象画像が選択されるため、各種メディアから取り込まれた画像データを容易に確認でき、合成対象画像を選択する作業の効率化が図られる。
【００１３】
請求項５に係る画像編集装置は、請求項１〜４のいずれかに記載の画像編集装置において、前記テンプレート画像の少なくとも１つは、画像合成領域の１つが他の画像合成領域の残部であることを特徴とするものである。
【００１４】
上記構成によれば、テンプレート画像の画像合成領域の１つが他の画像合成領域の残部であるため，例えば、１つの合成対象画像が他の合成対象画像の背景画像となる合成画像が生成される。
【００１５】
請求項６に係る写真処理装置は、請求項１〜５のいずれかに記載の画像編集装置と、前記画像編集装置によって合成されたテンプレート画像と合成対象画像との合成画像データを取り込み、プリント出力するプリント装置とを備えてなるものである。
【００１６】
上記構成によれば、プリント装置によって、画像編集装置によって合成されたテンプレート画像と合成対象画像との合成画像データが取り込まれ、プリント出力されるため、テンプレート画像と合成対象画像からなる合成画像のプリントが得られる。
【発明の効果】
【００１７】
請求項１に係る画像編集装置によれば、各種記録媒体に記録される画像データをテンプレート画像へ合成する際の画像編集作業を効率的に行なうことができ、作業効率の向上を図ることができる。
【００１８】
請求項２に係る画像編集装置によれば、注文者の要望に応じた様々なタイプの合成画像を生成することができる。
【００１９】
請求項３に係る画像編集装置によれば、テンプレート画像の各画像合成領域に対する合成対象画像の設定作業を効率的に行なうことができ、画像編集作業の一層の効率化を図ることができる。
【００２０】
請求項４に係る画像編集装置によれば、各種メディアから取り込まれた画像データを容易に確認でき、合成対象画像を選択する作業を効率的に行なうことができ、画像編集作業の一層の効率化を図ることができる。
【００２１】
請求項５に係る画像編集装置によれば、１つの合成対象画像が他の合成対象画像の背景画像となる合成画像を生成する等、多様な画像編集を実現できる。
【００２２】
請求項６に係る画像編集装置によれば、各種記録媒体に記録される画像データをテンプレート画像へ合成した合成画像のプリントを得ることができる。
【発明を実施するための最良の形態】
【００２３】
（第１の実施形態）
図１は本発明に係る写真処理装置の外観斜視図の一例を示すものである。写真処理装置は、受付装置１と、デジタルプリンタ２とを備える。受付装置１（画像編集装置に相当する）は、複数種類のメディア（記録媒体）が挿入、取り出し可能に構成され、各メディアに格納される画像データの読込を行う画像データ取込部１１（画像取込手段に相当する）と、現像処理後のフィルムに光を当てて、透過光をＣＣＤ（電荷結合素子）などの撮像素子で受光することによってフィルムのコマ毎の画像データを得るフィルムスキャナ１２（画像取込手段に相当する）と、読み込んだ画像やプリント処理を行う際の各種指示を入力するための操作画面などを表示するためのモニタ１３と、所定の画像処理やプリント処理の指示を入力するためのキーボード、マウス等の操作部１４（合成対象画像選択手段、テンプレート選択手段、対応設定手段に相当する）とを備える。画像データ取込部１１は、例えばＣＤ−Ｒ／ＲＷ（CD  recordable／rewritable），ＤＶＤ(digital versatile disk)等のディスク状記録媒体に格納された画像データを読み込む読込部１１ａ、ディジタルカメラで撮影された画像データを格納するスマートメディア等の小型メモリーカードに格納された画像データを読み込む読込部１１ｂ、及びＦＤ（フロッピー（登録商標）ディスク）に格納された画像データを読み込む読込部１１ｃを備える。
【００２４】
受付装置１は、操作部１４を介してプリントサイズ，プリント枚数等を含む注文情報を受け付けると共に、フィルムスキャナ１２によってフィルムから読み取られた画像データまたは画像データ取込部１１により各種メディアから読み出された画像データを記憶部に記憶し、必要に応じてデジタルプリンタ２に対して送信するものである。
【００２５】
デジタルプリンタ２（プリント装置に相当する）は、それぞれ幅等の異なる複数種類（例えば２種類）の長尺印画紙を巻回収納したマガジン２１，２２と、該マガジン２１または２２から引き出した印画紙を所定サイズに切断し、切断された印画紙片上に受付装置１から送信された画像（画像データ）を露光する露光部２３と、露光された印画紙片を現像、漂白、定着及び安定化処理する現像処理部２４と、現像された印画紙片を乾燥する乾燥部２５と、乾燥された印画紙片をオーダ単位に仕分けて排出するソータ２６等で構成されている。
【００２６】
図２は受付装置１の構成の一例を示すブロック図である。データ処理部１５は、受付装置１全体の動作を制御するものであり、図１に示す画像データ取込部１１、フィルムスキャナ１２、モニタ１３及び操作部１４と接続されている。データ処理部１５は、ＣＰＵ（Central Processing Unit）で構成され、写真処理装置の各種動作を制御するプログラム、各種画像を構成する画面データ、各種テンプレート画像に関するデータ等を予め記憶するＲＯＭ（Read Only Memory）１６、処理途中のデータを一時的に格納するＲＡＭ（Random Access Memory）１７と接続されている。
【００２７】
ＲＯＭ１６は、複数種類のテンプレート画像のテンプレート画像データを記憶するテンプレート画像記憶部１６１（テンプレート記憶手段に相当する）と、テンプレート画像に設けられた複数の画像合成領域に関する情報、例えば位置、サイズ及び輪郭形状をそれぞれ規定する位置情報、サイズ情報及び形状情報を含む合成領域情報を記憶する合成領域情報記憶部１６２とを備える。
【００２８】
ＲＡＭ１７は、画像データ取込部１１やフィルムスキャナ１２から取り込まれた画像データを格納するプリント画像記憶部１７１と、取り込まれた画像データのサイズを特定するサイズ情報、画像データを格納するメディアの種類を特定するメディア種類情報等を含む画像特性情報を記憶する画像特性情報記憶部１７２とを備える。
【００２９】
データ処理部１５は、操作受付部１５０、画像取込制御部１５１、画像表示部１５２、テンプレート画像選択部１５３、画像加工部１５４、及び画像合成部１５５を備える。操作受付部１５０は、操作部１４を介して入力されるプリント処理に関する各種指示に対する受付処理を行うものである。画像取込制御部１５１は、画像データ取込部１１やフィルムスキャナ１２を介して取り込まれる画像データをプリント画像記憶部１７１へ書き込ませると共に、画像データのサイズ情報やメディア種類情報等を含む画像特性情報を取り込み画像データと関連付けて画像特性情報記憶部１７２に書き込ませるものである。
【００３０】
画像表示部１５２（表示手段に相当する）は、プリント処理を行う際の各種指示を促す入力画面（図５〜図１１参照）や取り込んだ画像をモニタ１３上に表示するものである。また、画像表示部１５２は、各種メディアから取り込まれた画像データをメディアの種類毎にモニタ１３に表示するものである。
【００３１】
テンプレート画像選択部１５３は、モニタ１３に複数種類のテンプレート画像（又はそのサムネイル画像）を表示し、操作部１４を介して１つのテンプレート画像を選択する選択指示を受け付けさせ、選択されたテンプレート画像の画像データ及び対応する合成領域情報をテンプレート画像記憶部１６１及び合成領域情報記憶部１６２からモニタ１３及び画像加工部１５４へ読み出すものである。
【００３２】
画像加工部１５４は、テンプレート画像の画像合成領域のサイズと合成対象画像のサイズとを一致させるべく、両者の画像の画像データに対して、あるいは合成対象画像の画像データに対してサイズ変更分に伴う拡大あるいは縮小処理を施すものである。なお、合成対象画像をそのまま画像合成領域に重ね合わせるようにしてもよく、この場合には、サイズ変更のための画像加工処理は必要ではなくなり、両者のサイズ情報を用いて、合成対象画像の中央部分が自動的に画像合成領域の中央に一致するように位置処理を行えばよい。
【００３３】
画像合成部１５５（画像合成手段に相当する）は、テンプレート画像の画像合成領域に合成対象画像を重ね合わせて、当該テンプレート画像と合成対象画像との合成を行うものである。
【００３４】
図３及び図４は、画像合成処理の一例を説明するフローチャートである。
【００３５】
まず、デジタルプリンタ２によるプリント処理の実行条件を入力可能なオーダ画面Ｇ１がモニタ１３に表示され（ステップＳ１）、オーダ画面Ｇ１において画像データのプリントサイズ及びプリント枚数等の設定が行なわれる（ステップＳ３）。図５はオーダ画面Ｇ１の一例を示す図である。オーダ画面Ｇ１には、画像データのプリントサイズ及びプリント枚数等のプリント条件を入力するためのプリント条件入力部２０１と、はがき、カレンダー、メニュー等各種作成モードの中から所望のモードを選択するためのモード選択キー２０２、各種メディアの中からメディアを選択するためのメディア選択キー２０３と、設定内容を確定するためのスタートキー２０４が含まれている。図６はメディア選択キー２０３が押下された際にモニタ１３に表示されるメディア選択画面Ｇ２の一例を示す図である。メディア選択画面Ｇ２には、例えば、フィルム、ＣＤ−Ｒ／ＲＷ、ＦＤ等、複数種類のメディアの中から画像取込対象のメディアの選択を行う選択キー２１１〜２１５と、選択されたメディアの種類（図ではＣＤ−Ｒ／ＣＤ−ＲＷが選択されている場合を示す）を表示する選択メディア表示部２１６と、画像取込対象のメディアの設定を確定するためのＯＫキー２１７と、画像取込対象のメディアの設定を解除するためのキャンセルキー２１８とを備える。なお、ＯＫキー２１７が操作されると、オーダ画面Ｇ１に戻るようにされている。
【００３６】
次いで、メディア選択画面Ｇ２において画像取込対象のメディアの設定が行なわれる（ステップＳ５）。この後、オーダ画面Ｇ１においてスタートキー２０４が押下されたか否かが判断され（ステップＳ７）、スタートキー２０４が押下された場合は（ステップＳ７でＹｅｓ）、ステップＳ９に進み、ステップＳ５で選択されたメディアが画像データ取込部１１又はフィルムスキャナ１２に装填されているか否か、例えばフィルムが選択された場合、フィルムスキャナ１２にフィルムが装填されているか否かが判断される（ステップＳ９）。メディアが装填されている場合は（ステップＳ９でＹｅｓ）、メディアからの画像データの取り込み処理が行われ（ステップＳ１１）、画像取込制御部１５１によって、取り込まれた画像データがプリント画像記憶部１７１に記憶されると共に、取り込まれた画像データのサイズ情報、メディアの種類を特定するメディア種類情報を含む画像特性情報が画像特性情報記憶部１７２に記憶され（ステップＳ１２）、読み込まれたフィルムの画像データＡ１〜Ａ６‥がモニタ１３に表示される（ステップＳ１３）。
【００３７】
図７は、メディアとしてフィルムが選択された場合における取り込み画像データを表示する画像一覧画面Ｇ３の一例を示す図である。画像一覧画面Ｇ３には、その画面中央部にフィルムから読み取られた画像データの縮小画像Ａ１〜Ａ６を表示する画像表示部２２１、画像表示部２２１の右側に画像表示部２２１を上下にスクロールするためのスクロールキー２２２ａ，２２２ｂ及びスクロールバー２２２ｃが表示されている。画面下部には、他のメディアからの画像データの取り込みを指示するための取り込み指示キー２２３、モニタ１３の表示画面をテンプレート画像を選択するためのテンプレート選択画面に移行するためのテンプレート選択キー２２４と、モニタ１３の表示画面をオーダ画面Ｇ１に戻すためのキャンセルキー２２５が表示されている。
【００３８】
次いで、テンプレート選択キー２２４が押下されたか否かが判断され（ステップＳ１５）、テンプレート選択キー２２４が押下された場合は（ステップＳ１５でＹｅｓ）、モニタ１３の表示画面がテンプレート選択画面Ｇ５に切り替わる（ステップＳ２１）。テンプレート選択キー２２４が押下されない場合は（ステップＳ１５でＮｏ）、更に取り込み指示キー２２３が押下されたか否かが判断され（ステップＳ１７）、取り込み指示キー２２３が押下された場合は（ステップＳ１７でＹｅｓ）、モニタ１３の表示画面がメディア選択画面Ｇ２に再度切り替わり、操作部１４により新たな（次の）画像取込対象のメディアの設定が行なわれる（ステップＳ１９）。そして、ステップＳ９〜１３の処理が繰り返されて、新たなメディア（第２のメディア）から画像データの取り込みが行なわれ、モニタ１３に表示されると共に画像取込制御部１５１によって読み取られた画像データ及び画像特性情報がそれぞれプリント画像記憶部１７１及び画像特性情報記憶部１７２に記憶される。例えば、第２のメディアとしてＣＤ−Ｒ／ＲＷが選択された場合には、図８に示すように、画像一覧画面Ｇ４の画像表示部２２１にＣＤ−Ｒ／ＲＷから読み取られた画像データＢ１〜Ｂ６‥が表示される。また、各種メディアからの画像データの取り込み方法は、上述した方法に限定されず、メディアの種類によって画像データを取り込む際の優先順位が予め定められており、優先順位の高いメディアから順番にメディアの有無を確認し、画像データを取り込むようにしてもよい。これにより、メディアの設定作業を省略することができ、作業の効率化が図られる。この場合、モニタ１３への画像一覧画面Ｇ３，Ｇ４の表示を省略し、オーダ画面Ｇ１のスタートキー２０４の押下によってテンプレート選択画面Ｇ５に直接移行してもよい。
【００３９】
続いて、テンプレート選択キー２２４が押下されると（ステップＳ１５でＹｅｓ）、テンプレート選択画面Ｇ５がモニタ１３に表示される（ステップＳ２１）。図９は、テンプレート選択画面Ｇ５の一例を示す画面図である。テンプレート選択画面Ｇ５には、画面上部にテンプレート画像を格納する複数のフォルダの中から所望のテンプレート画像を格納するフォルダを選択するフォルダ選択画面（図示省略）に移行するための選択キー２３１及びフォルダ選択画面において選択されたフォルダの名前を表示するフォルダ名表示部２３２が表示され、画面中央部に複数のテンプレート画像Ｔ１〜Ｔ５の縮小画像を表示するテンプレート表示部２３３が表示され、画面下部にテンプレート画像Ｔ１〜Ｔ５の選択を確定するためのＯＫキー２３４と、テンプレート画像Ｔ１〜Ｔ５の選択を解除するためのキャンセルキー２３５とが表示される。操作部１４によってテンプレート画像Ｔ１〜Ｔ５の表示域の１つがクリックされると、当該テンプレート画像は選択されたことを示すべく表示形態、例えば外枠が太線に変更される。この状態でＯＫキー２３４が押下されると、テンプレート画像の選択が確定し、キャンセルキー２３５が押下されると、テンプレート画像Ｔ１〜Ｔ５の選択が解除される。
【００４０】
テンプレート画像が選択された状態でＯＫキー２３４が押下されると、テンプレート画像の設定が確定し（ステップＳ２３でＹｅｓ）、合成処理画面Ｇ６がモニタ１３に表示される（ステップＳ２５）。  
【００４１】
図１０は、モニタ１３に表示される合成処理画面の一例を示す図である。合成処理画面Ｇ６には、その画面中央部にステップＳ２３で選択された、例えばテンプレート画像Ｔ４を表示するテンプレート画像表示部２４１と、テンプレート画像表示部２４１の下方にフィルムから読み取られた画像データＡ１〜Ａ４‥の縮小画像を表示する画像表示部２４２と、画像表示部２４２を左右にスクロールさせ、画像表示部２４２に表示される画像データを切り替えるスクロールキー２４３が表示される。また、画面下部には、画像表示部２４２の表示画像を他のメディアから取り込まれた画像データに切り替えるための画像切替えキー２４４と、テンプレート画像の背景画像をフィルムから読み取られた画像データＡ１〜Ａ４‥のいずれかに変更するためのテンプレート画像変更キー２４５と、テンプレート画像表示部２４１に表示されるテンプレート画像と合成対象画像とを合成した合成画像のプリント処理を指示するためのプリントキー２４６と、モニタ１３の表示画面を一つ前の画面に切り替えるための戻るキー２４７と、画像編集処理を終了するための終了キー２４８とが含まれている。テンプレート画像Ｔ４は、例えば、３つの矩形状の画像合成領域Ｗ１〜Ｗ３及び画像合成領域Ｗ１〜Ｗ３の残部（背景領域）である画像合成領域Ｗ４から構成される。
【００４２】
次いで、操作受付部１５０によって、テンプレート画像Ｔ４の画像合成領域Ｗ１〜Ｗ４に対し、画像表示部２４２に表示される画像の中から合成対象画像が設定されたか否かが判断される（ステップＳ２７）。テンプレート画像Ｔ４の画像合成領域Ｗ１〜Ｗ３に対する合成対象画像の設定は、操作部１４によって所定の操作、例えば、画像表示部２４２に表示されている画像を画像合成領域Ｗ１〜Ｗ３にドラッグアンドドロップすることによって行なわれる。テンプレート画像Ｔ４の画像合成領域Ｗ４に対する合成対象画像の設定は、画像表示部２４２に表示される画像の中から所望の画像のクリックし、テンプレート画像変更キー２４５をクリックすることによって行なわれる。なお、これらは画像合成領域Ｗ１〜Ｗ４に対する合成対象画像の設定方法の一例であり、その他の設定方法も採用可能である。
【００４３】
テンプレート画像Ｔ４の画像合成領域Ｗ１〜Ｗ４に対し合成対象画像が設定された場合（ステップＳ２７でＹｅｓ）、画像加工部１５４によって、必要に応じて合成対象画像の画像データの拡大・縮小処理等の画像処理が行なわれ（ステップＳ２９）、画像合成部１５５によって、処理後の合成対象画像がテンプレート画像Ｔ４の合成画像領域Ｗ１〜Ｗ４に合成される（ステップＳ３１）。
【００４４】
次いで、合成後の合成画像データがモニタ１３に表示される（ステップＳ３３）。ここでは、図に示すように、操作部１４によって画像合成領域Ｗ１，Ｗ２に配置される画像として画像Ａ２，Ａ３がそれぞれ選択され、画像Ａ２，Ａ３がテンプレート画像Ｔ４の画像合成領域Ｗ１，Ｗ２に合成された合成画像データがモニタ１３に表示される。
【００４５】
次いで、プリントキー２４６が押下されたか否かが判断され（ステップＳ３５）、プリントキー２４６が押下された場合は（ステップＳ３５でＹｅｓ）、合成画像データがデジタルプリンタ２に送信され、デジタルプリンタ２によって合成画像データのプリント処理が行なわれる（ステップＳ３７）。プリントキー２４６が押下されない場合は（ステップＳ３５でＮｏ）、さらに画像切替キー２４４が押下されたか否かが判断され（ステップＳ３９）、画面切替キー２４４が押下された場合（ステップＳ３９でＹｅｓ）、画像表示部２４２の表示内容が他のメディアから読み出された画像に切り替わる（ステップＳ４１）。ここでは、画像表示部１５２によって、ＣＤ−Ｒ／ＲＷから取り込まれた画像データがプリント画像記憶部１７１から読み出され、図１１に示すように画像表示部２４２に表示される。この状態で、画像表示部２４２に表示される画像の中から合成対象画像が選択され、テンプレート画像Ｔ４のいずれかの画像合成領域Ｗ１〜Ｗ４に設定されると、合成対象画像の画像データについてステップ２９〜Ｓ３１の処理が行なわれ、テンプレート画像Ｔ４の画像合成領域Ｗ１〜Ｗ４に合成対象画像が合成され、合成後の合成画像データがモニタ１３に表示される。ここでは、図に示すように、操作部１４によって画像合成領域Ｗ３に配置される画像として画像Ｂ１が選択され、画像Ｂ１がテンプレート画像Ｔ４の画像合成領域Ｗ３に合成された合成画像データがモニタ１３に表示される。なお、ここでは、１枚のテンプレート画像に対する画像編集処理について説明しているが、必要に応じて２ページ目以降のテンプレート画像に対する画像編集処理も同様に可能である。
【００４６】
このように本実施形態では、各種メディアから取り込まれた画像データの画像をメディアの種類毎にモニタ１３に表示し、モニタ１３に表示された画像からテンプレート画像Ｔ４の各画像合成領域Ｗ１〜Ｗ４に対する合成対象画像が選択されると、各画像合成領域Ｗ１〜Ｗ４に選択された合成対象画像を合成するので、各種メディアに記憶されている画像データの画像をテンプレート画像に合成する際の画像編集作業を効率的に行なうことができる。また、各種メディアから取り込まれた画像データの画像をメディアの種類毎にモニタ１３に一覧表示し、モニタ１３の表示画像を記録媒体の種類毎に切り換えることができるので、各種メディアから取り込まれた画像データの画像を容易に確認でき、合成対象画像を選択する作業を効率的に行なうことができる。
【００４７】
（第２の実施形態）
図１２は受付装置１の構成を示すブロック図である。なお、図において図２と同一符号を付したものは同一又は類似する構成であるため、ここでは説明を省略する。
【００４８】
操作部５４は、テンプレート画像の各画像合成領域毎に合成対象画像の画像データを格納するメディアの種類（以下、「合成対象メディア」という）を設定可能である。画像表示部１５６は、各種メディアから取り込まれた画像データをメディアの種類毎にモニタの一画面に一覧表示するものである。合成関連情報付与部１５７は、操作部５４によってテンプレート画像の画像合成領域に対する合成対象メディアの種類が設定された場合、選択された画像合成領域の合成領域情報を合成領域情報記憶部１６２から読み出し、当該合成領域情報及び合成対象メディアの種類を特定するメディア種類情報を対応付けて合成関連情報記憶部１７３に記憶するものである。
【００４９】
合成画像選択部１５８は、テンプレート画像に合成対象画像データを合成するための合成実行指示が操作部１２を介して入力されると、合成関連情報記憶部１７３に記録される画像合成領域毎の合成領域情報及びメディア種類情報を読み出し、当該メディア種類情報に基づき、画像合成領域毎の画像データ及び画像特性情報をプリント画像記憶部１７１及び画像特性情報記憶部１７２から読み出すものである。
【００５０】
図１３及び図１４は、画像合成処理の一例を説明するフローチャートである。ステップＳ１〜２３は、第１の実施形態の処理と同様であるので詳細な説明は省略する。本実施形態では、ステップＳ５又は１９では画像取込対象のメディアとしてフィルム、ＣＤ−Ｒ／ＲＷ及びＦＤが設定され、ステップＳ１１ではフィルムスキャナ１２又は画像データ取込部１１によって各メディアから画像データが取り込まれ、ステップＳ１２では画像取込制御部１５１によって、取り込まれた画像データがプリント画像記憶部１７１に記憶されると共に、取り込まれた画像データのサイズ情報、メディアの種類を特定するメディア種類情報等を含む画像特性情報が画像特性情報記憶部１７２に記憶される。さらに、ステップＳ２３でテンプレート画像の設定が行なわれると、ステップＳ５１でテンプレート画像（ここではテンプレート画像Ｔ４）及びメディアから取り込まれた画像データを含む合成処理画面Ｇ８がモニタ１３に表示される。
【００５１】
図１５は、モニタ１３に表示される合成処理画面の一例を示す図である。合成処理画面Ｇ８には、その画面中央部にステップＳ２３で選択されたテンプレート画像Ｔ４を表示するテンプレート画像表示部３０１と、テンプレート画像表示部３０１の右側にはフィルム、ＣＤ−Ｒ／ＲＷ、ＦＤからそれぞれ取り込まれた画像データＡ１、Ｂ１、Ｃ１の縮小画像をそれぞれ表示する画像表示部３０２、３０３、３０４が表示される。画像表示部３０２、３０３、３０４は、それぞれ各メディアから取り込まれた画像データのうち写真１枚分の画像データを表示し、各画像表示部３０２、３０３、３０４の上部に設けられたスクロールキー及びスクロールバーからなるスクロール部３０５、３０６、３０７によって表示画像を切り替えることが可能である。尚、ここでは、フィルム、ＣＤ−Ｒ／ＲＷ及びＦＤには、写真１枚分の画像データが記憶され、各画像表示部３０２、３０３、３０４にはそれぞれの画像データＡ１，Ｂ１，Ｃ１が表示される。画面下部には、テンプレート画像Ｔ４に対する合成対象画像の合成処理を指示するための合成キー３０８と、テンプレート画像表示部３０１に表示されるテンプレート画像と合成対象画像とを合成した合成画像のプリント処理を指示するためのプリントキー３０９と、モニタ１３の表示画面を一つ前の画面に切り替えるための戻るキー３１０と、画像の作成処理を終了するための終了キー３１１とが含まれている。
【００５２】
操作受付部１５０によって、テンプレート画像Ｔ４の画像合成領域Ｗ１〜Ｗ４に対し、合成対象メディアの種類が設定されたか否かが判断される（ステップＳ５３）。ここで、操作部５４によって所定の操作、例えば、テンプレート画像Ｔ４の画像合成領域Ｗ１〜Ｗ４において右クリックが行なわれると、合成対象メディアの種類を含むプルダウンメニューが表示され、さらに当該プルダウンメニューに含まれる合成対象メディアの種類から１つがクリックされると、各画像合成領域Ｗ１〜Ｗ４に対する合成対象メディアの設定が行なわれる。ここでは、例えば、テンプレート画像Ｔ４の画像合成領域Ｗ１〜Ｗ３の合成対象メディアとして例えば、それぞれフィルム、ＦＤ、ＣＤ−Ｒ／ＲＷが設定され，画像合成領域Ｗ１〜Ｗ３には設定された合成対象メディアの種類を表す文字列が表示される。また、テンプレート画像Ｔ４の画像合成領域Ｗ１〜Ｗ４に設定された合成対象メディアに記憶されている画像データが複数ある場合は、画像合成領域Ｗ１〜Ｗ４に合成対象メディアの種類を設定した後、当該合成対象メディアの画像の中から所望の画像をダブルクリックする等して、画像合成領域Ｗ１〜Ｗ４に対する合成対象画像を設定することが可能である。なお、これらは画像合成領域Ｗ１〜Ｗ４に対する合成対象メディアの設定方法の一例であり、その他の設定方法も採用可能である。
【００５３】
テンプレート画像Ｔ４の画像合成領域Ｗ１〜Ｗ４に対し合成対象メディアの種類が設定された場合（ステップＳ５３でＹｅｓ）、合成関連情報付与部１５７によって、選択された画像合成領域Ｗの合成領域情報が合成領域情報記憶部１６２から読み出され、合成領域情報及びメディアの種類を特定するメディア種類情報が対応付けられて、合成関連情報記憶部１７３に格納される（ステップＳ５４）。
【００５４】
次いで、操作受付部１５０によって、合成キー３０８が押下されたか否かが判断され（ステップＳ５５）、合成キー３０８が押下された場合は（ステップＳ５５でＹｅｓ）、合成画像選択部１５８によって各画像合成領域Ｗ１〜Ｗ３毎の合成領域情報及びメディア種類情報が合成関連情報記憶部１７３から読み出されると共に、メディア種類情報に基づき各画像合成領域Ｗ１〜Ｗ３毎の合成対象画像Ａ１，Ｂ１，Ｃ１がプリント画像記憶部１７１から読み出され、画像加工部１５３によって、各画像合成領域Ｗ１〜Ｗ３及び合成対象画像Ａ１，Ｂ１，Ｃ１のサイズ情報に基づき、必要に応じて合成対象画像の画像データの拡大・縮小処理等の画像処理が行なわれる（ステップＳ５９）。そして、画像合成部１５５によって、処理後の合成対象画像Ａ１，Ｂ１，Ｃ１の画像データがそれぞれテンプレート画像Ｔ４の対応する画像合成領域Ｗ１〜Ｗ３に合成され（ステップＳ６１）、合成後の合成画像データがモニタ１３に表示される（ステップＳ６３）。
【００５５】
次いで、プリントキー３０９が押下されたか否かが判断され（ステップＳ６３）、プリントキー３０９が押下された場合は（ステップＳ６３でＹｅｓ）、合成画像データがデジタルプリンタ２に送信され、デジタルプリンタ２によって合成画像データのプリント処理が行なわれる（ステップＳ６５）。
【００５６】
このように本実施形態によれば、各種メディアから取り込まれた画像データをメディアの種類毎にモニタ１３に表示し、テンプレート画像Ｔ４の画像合成領域Ｗ１〜Ｗ４毎に合成対象メディアの種類が対応付けられると、合成対象メディアから取り込んだ画像データを対応する各画像合成領域Ｗ１〜Ｗ４に合成するので、テンプレート画像Ｔ４の各画像合成領域Ｗ１〜Ｗ４に対する合成対象画像の設定作業を効率的に行なうことができ、画像編集作業を一層効率的に行なうことができる。また、各種メディアから取り込まれた画像データをメディアの種類毎にモニタの一画面に一覧表示するので、各種メディアから取り込まれた画像データを一目で確認でき、合成対象画像を選択する作業を効率的に行なうことができる。
【図面の簡単な説明】
【００５７】
【図１】本発明に係る写真処理装置の外観斜視図の一例である。
【図２】本発明の第１の実施形態による受付装置の構成を示すブロック図である。
【図３】受付装置による画像合成処理を説明するためのフローチャートである。
【図４】受付装置による画像合成処理を説明するためのフローチャートである。
【図５】オーダ画面の一例を示す画面図である。
【図６】メディア選択画面の一例を示す画面図である。
【図７】画像一覧画面の一例を示す画面図である。
【図８】画像一覧画面の一例を示す画面図である。
【図９】テンプレート選択画面の一例を示す図である。
【図１０】合成処理画面の一例を示す図である。
【図１１】合成処理画面の一例を示す図である。
【図１２】本発明の第２の実施形態による受付装置の構成を示すブロック図である。
【図１３】受付装置による画像合成処理を説明するためのフローチャートである。
【図１４】受付装置による画像合成処理を説明するためのフローチャートである。
【図１５】合成処理画面の一例を示す図である。
【符号の説明】
【００５８】
１  受付装置
２  デジタルプリンタ
１１  画像データ取込部
１２  フィルムスキャナ
１３  モニタ
１４、５４  操作部
１５  データ処理部
１６  ＲＯＭ
１７  ＲＡＭ
１５０  操作受付部
１５１  画像取込制御部
１５２、１５６  画像表示部
１５３  テンプレート画像選択部
１５４  画像加工部
１５５  画像合成部
１５７  合成関連情報付与部
１５８  合成画像選択部
１６１  テンプレート画像記憶部
１６２  合成領域情報記憶部
１７１  プリント画像記憶部
１７２  画像特性情報記憶部
１７３  合成関連情報記憶部
【図１】
2006014020.tif 000003
【図２】
2006014020.tif 000004
【図３】
2006014020.tif 000005
【図４】
2006014020.tif 000006
【図５】
2006014020.tif 000007
【図６】
2006014020.tif 000008
【図７】
2006014020.tif 000009
【図８】
2006014020.tif 000010
【図９】
2006014020.tif 000011
【図１０】
2006014020.tif 000012
【図１１】
2006014020.tif 000013
【図１２】
2006014020.tif 000014
【図１３】
2006014020.tif 000015
【図１４】
2006014020.tif 000016
【図１５】
2006014020.tif 000017